(57)【要約】【課題】複数の表示パネルを重ね合わせて構成された液晶表示装置において、単色画像の色再現性の向上を図る。【解決手段】液晶表示装置は、複数の表示パネルが重ね合わされて配置され、それぞれの前記表示パネルに画像を表示する表示装置であって、カラー画像を表示する第１表示パネルと白黒画像を表示する第２表示パネルとを含み、前記第１表示パネルは、第１の色の光を透過する第１透過部に対応する第１画素と、第２の色の光を透過する第２透過部に対応する第２画素と、第３の色の光を透過する第３透過部に対応する第３画素と、を含み、前記第２表示パネルは、前記第１画素に重畳する第４画素と、前記第２画素及び前記第３画素に重畳する第５画素とを含み、前記第４画素の面積と前記第５画素の面積とは互いに異なる。【選択図】図９
2018049103.tif 000002
【特許請求の範囲】
【請求項１】
複数の表示パネルが重ね合わされて配置され、それぞれの前記表示パネルに画像を表示する液晶表示装置であって、
それぞれが所定の色の光を透過する複数の透過部を備え、カラー画像を表示する第１表示パネルと、
白黒画像を表示する第２表示パネルと、
を含み、
前記第１表示パネル及び前記第２表示パネルはそれぞれ、平面視で、隣り合う２本のソース線及び隣り合う２本のゲート線で規定された複数の画素を含み、
前記第１表示パネルの前記複数の画素は、第１の色の光を透過する第１透過部に対応する第１画素と、第２の色の光を透過する第２透過部に対応する第２画素と、第３の色の光を透過する第３透過部に対応する第３画素と、を含み、
前記第２表示パネルの前記複数の画素は、前記第１画素に重畳する第４画素と、前記第２画素及び前記第３画素に重畳する第５画素とを含み、
前記第４画素の面積と前記第５画素の面積とは互いに異なる、
ことを特徴とする液晶表示装置。
【請求項２】
前記第４画素の面積は、前記第１画素の面積に等しく、
前記第５画素の面積は、前記第２画素の面積と前記第３画素の面積とを合計した面積に等しい、又は、前記合計した面積より大きい、
ことを特徴とする請求項１に記載の液晶表示装置。
【請求項３】
前記第１表示パネルは、さらに第４の色の光を透過する第４透過部に対応する第６画素を含み、
前記第１透過部は、白色の光を透過し、
前記第４画素は、前記第１画素に重畳し、
前記第５画素は、前記第２画素と前記第３画素と前記第６画素に重畳する、
ことを特徴とする請求項１に記載の液晶表示装置。
【請求項４】
前記第４画素の面積は、前記第１画素の面積に等しく、
前記第５画素の面積は、前記第２画素の面積と前記第３画素の面積と前記第６画素の面積とを合計した面積に等しい、
ことを特徴とする請求項３に記載の液晶表示装置。
【請求項５】
前記第１透過部は、緑色、黄色又は白色の光を透過し、
前記第４画素は、前記ソース線が延在する第１方向及び前記ゲート線が延在する第２方向の少なくとも何れかの方向に隣り合う複数の前記第１画素に重畳する、
ことを特徴とする請求項１に記載の液晶表示装置。
【請求項６】
複数の表示パネルが重ね合わされて配置され、それぞれの前記表示パネルに画像を表示する液晶表示装置であって、
それぞれが所定の色の光を透過する複数の透過部を備え、カラー画像を表示する第１表示パネルと、
白黒画像を表示する第２表示パネルと、
を含み、
前記第１表示パネル及び前記第２表示パネルはそれぞれ、平面視で、隣り合う２本のソース線及び隣り合う２本のゲート線で規定された複数の画素を含み、
前記第１表示パネルの前記複数の画素は、第１の色の光を透過する第１透過部に対応する第１画素と、第２の色の光を透過する第２透過部に対応する第２画素と、第３の色の光を透過する第３透過部に対応する第３画素と、第４の色の光を透過する第４透過部に対応する第４画素と、を含み、
前記第２表示パネルの前記複数の画素は、前記第１画素及び前記第２画素に重畳する第５画素と、前記第３画素及び前記第４画素に重畳する第６画素とを含み、
前記第５画素の面積及び前記第６画素の面積は、それぞれ、前記第１画素の面積と前記第２画素の面積と前記第３画素の面積と前記第４画素の面積とを合計した面積より小さい、
ことを特徴とする液晶表示装置。
【請求項７】
前記第１表示パネルでは、前記ソース線が延在する第１方向又は前記ゲート線が延在する第２方向に、前記第１画素及び前記第２画素が隣り合って配列されている、
ことを特徴とする請求項６に記載の液晶表示装置。
【請求項８】
複数の表示パネルが重ね合わされて配置され、それぞれの前記表示パネルに画像を表示する液晶表示装置であって、
それぞれが所定の色の光を透過する複数の透過部を備え、カラー画像を表示する第１表示パネルと、
白黒画像を表示する第２表示パネルと、
を含み、
前記第１表示パネル及び前記第２表示パネルはそれぞれ、平面視で、隣り合う２本のソース線及び隣り合う２本のゲート線で規定された複数の画素を含み、
前記第１表示パネルの前記複数の画素は、第１の色の光を透過する第１透過部に対応する第１画素と、第２の色の光を透過する第２透過部に対応する第２画素と、第３の色の光を透過する第３透過部に対応する第３画素と、第４の色の光を透過する第４透過部に対応する第４画素と、を含み、
２個の前記第１画素及び２個の前記第２画素を含む第１画素グループと、２個の前記第３画素及び２個の前記第４画素を含む第２画素グループとが隣り合って配列されており、
前記第２表示パネルの前記複数の画素は、前記第１画素グループに重畳する第５画素と、前記第２画素グループに重畳する第６画素とを含む、
ことを特徴とする液晶表示装置。
【請求項９】
前記第１透過部及び前記第２透過部は、それぞれ、緑色、黄色又は白色の光を透過する、
ことを特徴とする請求項６又は８に記載の液晶表示装置。
【請求項１０】
前記第５画素の面積と前記第６画素の面積とは互いに等しい、
ことを特徴とする請求項６又は８に記載の液晶表示装置。
【請求項１１】
複数の表示パネルが重ね合わされて配置され、それぞれの前記表示パネルに画像を表示する液晶表示装置であって、
それぞれが所定の色の光を透過する複数の透過部を備え、カラー画像を表示する第１表示パネルと、
白黒画像を表示する第２表示パネルと、
を含み、
前記第１表示パネル及び前記第２表示パネルはそれぞれ、平面視で、隣り合う２本のソース線及び隣り合う２本のゲート線で規定された複数の画素を含み、
前記第１表示パネルの複数の画素は、第１の色の光を透過する第１透過部に対応する第１画素と、第２の色の光を透過する第２透過部に対応する第２画素と、第３の色の光を透過する第３透過部に対応する第３画素と、を含み、
前記第２表示パネルの複数の画素は、前記第１画素に重畳し、前記第２画素及び前記第３画素に重畳しない第４画素と、前記第２画素及び前記第３画素に重畳し、前記第１画素に重畳しない第５画素とを含む、
ことを特徴とする液晶表示装置。
【請求項１２】
前記第１透過部は、緑色、黄色又は白色の光を透過する、
ことを特徴とする請求項１又は１１に記載の液晶表示装置。
【請求項１３】
前記第１表示パネルは、さらに第４の色の光を透過する第４透過部に対応する第６画素を含み、
前記第１透過部は、白色の光を透過し、
前記第４画素は、前記第１画素に重畳し、前記第２画素と前記第３画素と前記第６画素に重畳せず、
前記第５画素は、前記第２画素と前記第３画素と前記第６画素に重畳し、前記第１画素に重畳しない、
ことを特徴とする請求項１１に記載の液晶表示装置。
【請求項１４】
前記第１表示パネルは、さらに第４の色の光を透過する第４透過部に対応する第６画素を含み、
前記第１透過部は緑色の光を透過し、前記第４透過部は白色の光を透過し、
前記第４画素は、前記第１画素と前記第６画素に重畳し、前記第２画素と前記第３画素に重畳せず、
前記第５画素は、前記第２画素と前記第３画素に重畳し、前記第１画素と前記第６画素に重畳しない、
ことを特徴とする請求項１１に記載の液晶表示装置。
【請求項１５】
前記第２表示パネルにおける単位面積当たりの前記画素の数は、前記第１表示パネルにおける単位面積当たりの前記画素の数より少ない、
ことを特徴とする請求項１、６、８又は１１に記載の液晶表示装置。
【発明の詳細な説明】
【技術分野】
【０００１】
本発明は、液晶表示装置に関する。
【背景技術】
【０００２】
従来、液晶表示装置のコントラストを向上させる技術として、２枚の表示パネルを重ね合わせて、入力映像信号に基づいて、それぞれの表示パネルに画像を表示させる技術が提案されている（例えば特許文献１参照）。具体的には例えば、前後に配置された２枚の表示パネルのうち前側（観察者側）の表示パネルにカラー画像を表示し、後側（バックライト側）の表示パネルに白黒画像を表示することによって、コントラストの向上を図るものである。また、上記液晶表示装置では、ソースドライバの数を削減してコスト低減を図るべく、画素の配置を、カラー画像表示パネルの３個の画素（赤色画素、緑色画素、青色画素）に対して、白黒画像表示パネルの画素が１個となるように構成している。
【先行技術文献】
【特許文献】
【０００３】
【特許文献１】ＷＯ２００７／０４０１２７号公報
【発明の概要】
【発明が解決しようとする課題】
【０００４】
ところで、カラー画像表示パネル１枚で構成された通常の液晶表示装置では、単色画像を表示させた場合に、本来の色を透過する画素とは異なる画素からの漏れ光により、色再現性が低下する問題が知られている。例えば、青色の単色画像を表示させた場合に、オフ状態となる赤色画素及び緑色画素から散乱等により一部の光が漏れ、この漏れ光が青色光に混ざることにより、青色画像の色再現性が低下する。特に低輝度の単色画像を表示させた場合には、上記漏れ光の影響が大きくなるため、色再現性が悪化する。この問題は、上記特許文献１に開示された液晶表示装置においても同様である。すなわち、上記液晶表示装置では、単色画像を表示する場合でも、カラー画像表示パネルの赤色画素、緑色画素及び青色画素に、白黒画像表示パネルを透過したバックライト光が均等に照射されるため、通常の液晶表示装置と同様に、光漏れによる色再現性の低下が起こり得る。
【０００５】
本発明は、上記実情に鑑みてなされたものであり、その目的は、複数の表示パネルを重ね合わせて構成された液晶表示装置において、単色画像の色再現性の向上を図ることにある。
【課題を解決するための手段】
【０００６】
上記課題を解決するために、本発明に係る液晶表示装置は、複数の表示パネルが重ね合わされて配置され、それぞれの前記表示パネルに画像を表示する液晶表示装置であって、それぞれが所定の色の光を透過する複数の透過部を備え、カラー画像を表示する第１表示パネルと、白黒画像を表示する第２表示パネルと、を含み、前記第１表示パネル及び前記第２表示パネルはそれぞれ、平面視で、隣り合う２本のソース線及び隣り合う２本のゲート線で規定された複数の画素を含み、前記第１表示パネルの前記複数の画素は、第１の色の光を透過する第１透過部に対応する第１画素と、第２の色の光を透過する第２透過部に対応する第２画素と、第３の色の光を透過する第３透過部に対応する第３画素と、を含み、前記第２表示パネルの前記複数の画素は、前記第１画素に重畳する第４画素（ＰＩＸｂ）と、前記第２画素及び前記第３画素に重畳する第５画素（ＰＩＸａ）とを含み、前記第４画素の面積と前記第５画素の面積とは互いに異なる、ことを特徴とする。
【０００７】
本発明に係る液晶表示装置では、前記第４画素の面積は、前記第１画素の面積に等しく、前記第５画素の面積は、前記第２画素の面積と前記第３画素の面積とを合計した面積に等しい、又は、前記合計した面積より大きくてもよい。
【０００８】
本発明に係る液晶表示装置では、前記第１表示パネルは、さらに第４の色の光を透過する第４透過部に対応する第６画素を含み、前記第１透過部は、白色の光を透過し、前記第４画素は、前記第１画素に重畳し、前記第５画素は、前記第２画素と前記第３画素と前記第６画素に重畳してもよい。
【０００９】
本発明に係る液晶表示装置では、前記第４画素の面積は、前記第１画素の面積に等しく、前記第５画素の面積は、前記第２画素の面積と前記第３画素の面積と前記第６画素の面積とを合計した面積に等しくてもよい。
【００１０】
本発明に係る液晶表示装置では、前記第１透過部は、緑色、黄色又は白色の光を透過し、前記第４画素は、前記ソース線が延在する第１方向及び前記ゲート線が延在する第２方向の少なくとも何れかの方向に隣り合う複数の前記第１画素に重畳してもよい。
【００１１】
また上記課題を解決するために、本発明に係る液晶表示装置は、複数の表示パネルが重ね合わされて配置され、それぞれの前記表示パネルに画像を表示する液晶表示装置であって、それぞれが所定の色の光を透過する複数の透過部を備え、カラー画像を表示する第１表示パネルと、白黒画像を表示する第２表示パネルと、を含み、前記第１表示パネル及び前記第２表示パネルはそれぞれ、平面視で、隣り合う２本のソース線及び隣り合う２本のゲート線で規定された複数の画素を含み、前記第１表示パネルの前記複数の画素は、第１の色の光を透過する第１透過部に対応する第１画素と、第２の色の光を透過する第２透過部に対応する第２画素と、第３の色の光を透過する第３透過部に対応する第３画素と、第４の色の光を透過する第４透過部に対応する第４画素と、を含み、前記第２表示パネルの前記複数の画素は、前記第１画素及び前記第２画素に重畳する第５画素と、前記第３画素及び前記第４画素に重畳する第６画素とを含み、前記第５画素の面積及び前記第６画素の面積は、それぞれ、前記第１画素の面積と前記第２画素の面積と前記第３画素の面積と前記第４画素の面積とを合計した面積より小さい、ことを特徴とする。
【００１２】
本発明に係る液晶表示装置では、前記第１表示パネルでは、前記ソース線が延在する第１方向又は前記ゲート線が延在する第２方向に、前記第１画素及び前記第２画素が隣り合って配列されてもよい。
【００１３】
また上記課題を解決するために、本発明に係る液晶表示装置は、複数の表示パネルが重ね合わされて配置され、それぞれの前記表示パネルに画像を表示する液晶表示装置であって、それぞれが所定の色の光を透過する複数の透過部を備え、カラー画像を表示する第１表示パネルと、白黒画像を表示する第２表示パネルと、を含み、前記第１表示パネル及び前記第２表示パネルはそれぞれ、平面視で、隣り合う２本のソース線及び隣り合う２本のゲート線で規定された複数の画素を含み、前記第１表示パネルの前記複数の画素は、第１の色の光を透過する第１透過部に対応する第１画素と、第２の色の光を透過する第２透過部に対応する第２画素と、第３の色の光を透過する第３透過部に対応する第３画素と、第４の色の光を透過する第４透過部に対応する第４画素と、を含み、２個の前記第１画素及び２個の前記第２画素を含む第１画素グループと、２個の前記第３画素及び２個の前記第４画素を含む第２画素グループとが隣り合って配列されており、前記第２表示パネルの前記複数の画素は、前記第１画素グループに重畳する第５画素と、前記第２画素グループに重畳する第６画素とを含む、ことを特徴とする。
【００１４】
本発明に係る液晶表示装置では、前記第１透過部及び前記第２透過部は、それぞれ、緑色、黄色又は白色の光を透過してもよい。
【００１５】
本発明に係る液晶表示装置では、前記第５画素の面積と前記第６画素の面積とは互いに等しくてもよい。
【００１６】
また上記課題を解決するために、本発明に係る液晶表示装置は、複数の表示パネルが重ね合わされて配置され、それぞれの前記表示パネルに画像を表示する液晶表示装置であって、それぞれが所定の色の光を透過する複数の透過部を備え、カラー画像を表示する第１表示パネルと、白黒画像を表示する第２表示パネルと、を含み、前記第１表示パネル及び前記第２表示パネルはそれぞれ、平面視で、隣り合う２本のソース線及び隣り合う２本のゲート線で規定された複数の画素を含み、前記第１表示パネルの複数の画素は、第１の色の光を透過する第１透過部に対応する第１画素と、第２の色の光を透過する第２透過部に対応する第２画素と、第３の色の光を透過する第３透過部に対応する第３画素と、を含み、前記第２表示パネルの複数の画素は、前記第１画素に重畳し、前記第２画素及び前記第３画素に重畳しない第４画素と、前記第２画素及び前記第３画素に重畳し、前記第１画素に重畳しない第５画素とを含む、ことを特徴とする。
【００１７】
本発明に係る液晶表示装置では、前記第１透過部は、緑色、黄色又は白色の光を透過してもよい。
【００１８】
本発明に係る液晶表示装置では、前記第１表示パネルは、さらに第４の色の光を透過する第４透過部に対応する第６画素を含み、前記第１透過部は、白色の光を透過し、前記第４画素は、前記第１画素に重畳し、前記第２画素と前記第３画素と前記第６画素に重畳せず、前記第５画素は、前記第２画素と前記第３画素と前記第６画素に重畳し、前記第１画素に重畳しなくてもよい。
【００１９】
本発明に係る液晶表示装置では、前記第１表示パネルは、さらに第４の色の光を透過する第４透過部に対応する第６画素を含み、前記第１透過部は緑色の光を透過し、前記第４透過部は白色の光を透過し、前記第４画素は、前記第１画素と前記第６画素に重畳し、前記第２画素と前記第３画素に重畳せず、前記第５画素は、前記第２画素と前記第３画素に重畳し、前記第１画素と前記第６画素に重畳しなくてもよい。
【００２０】
本発明に係る液晶表示装置では、前記第２表示パネルにおける単位面積当たりの前記画素の数は、前記第１表示パネルにおける単位面積当たりの前記画素の数より少なくてもよい。
【発明の効果】
【００２１】
本発明に係る液晶表示装置によれば、複数の表示パネルを重ね合わせて構成された液晶表示装置において、単色画像の色再現性の向上を図ることができる。
【図面の簡単な説明】
【００２２】
【図１】本実施形態に係る液晶表示装置の概略構成を示す斜視図である。
【図２】上記液晶表示装置の概略構成を模式的に示す図である。
【図３】実施形態１に係る第１表示パネルの概略構成を示す平面図である。
【図４】実施形態１に係る第２表示パネルの概略構成を示す平面図である。
【図５】図３及び図４の５−５´断面図である。
【図６】実施形態１に係る第１表示パネルの画素と第２表示パネルの画素との関係を示す平面図である。
【図７】図６に対応する画素の具体的な構成を示す平面図である。
【図８】図７の８−８´切断線における断面図である。
【図９】実施形態１に係る液晶表示装置における画像表示の一例を示す模式図である。
【図１０】実施形態１に係る第１表示パネル及び第２表示パネルのドライバの構成を示す図である。
【図１１】実施形態２に係る第１表示パネルの概略構成を示す平面図である。
【図１２】実施形態２に係る第２表示パネルの概略構成を示す平面図である。
【図１３】実施形態２に係る第１表示パネルの画素と第２表示パネルの画素との関係を示す平面図である。
【図１４】図１３に対応する画素の具体的な構成を示す平面図である。
【図１５】図１４の１５−１５´切断線における断面図である。
【図１６】実施形態２に係る液晶表示装置における画像表示の一例を示す模式図である。
【図１７】実施形態２に係る第１表示パネル及び第２表示パネルのドライバの構成を示す図である。
【図１８】実施形態３に係る第１表示パネルの概略構成を示す平面図である。
【図１９】実施形態３に係る第２表示パネルの概略構成を示す平面図である。
【図２０】実施形態３に係る第１表示パネルの画素と第２表示パネルの画素との関係を示す平面図である。
【図２１】図２０に対応する画素の具体的な構成を示す平面図である。
【図２２】図２１の２２−２２´切断線における断面図である。
【図２３】実施形態４に係る第１表示パネルの概略構成を示す平面図である。
【図２４】実施形態４に係る第２表示パネルの概略構成を示す平面図である。
【図２５】実施形態４に係る第１表示パネルの画素と第２表示パネルの画素との関係を示す平面図である。
【図２６】実施形態５に係る第１表示パネルの概略構成を示す平面図である。
【図２７】実施形態５に係る第２表示パネルの概略構成を示す平面図である。
【図２８】実施形態５に係る第１表示パネルの画素と第２表示パネルの画素との関係を示す平面図である。
【図２９】実施形態６に係る第１表示パネルの概略構成を示す平面図である。
【図３０】実施形態６に係る第２表示パネルの概略構成を示す平面図である。
【図３１】実施形態６に係る第１表示パネルの画素と第２表示パネルの画素との関係を示す平面図である。
【図３２】実施形態７に係る第１表示パネルの概略構成を示す平面図である。
【図３３】実施形態７に係る第２表示パネルの概略構成を示す平面図である。
【図３４】実施形態７に係る第１表示パネルの画素と第２表示パネルの画素との関係を示す平面図である。
【図３５】実施形態２に係る液晶表示装置の他の構成を示す断面図である。
【発明を実施するための形態】
【００２３】
本発明の実施形態について、図面を用いて以下に説明する。以下に示す各実施形態に係る液晶表示装置は、画像を表示する複数の表示パネルと、それぞれの表示パネルを駆動する複数の駆動回路（複数のソースドライバ、複数のゲートドライバ）と、それぞれの駆動回路を制御する複数のタイミングコントローラと、外部から入力される入力映像信号に対して画像処理を行い、それぞれのタイミングコントローラに画像データを出力する画像処理部と、複数の表示パネルに背面側から光を照射するバックライトと、を含んでいる。表示パネルの数は限定されず２枚以上であればよい。また複数の表示パネルは、観察者側から見て前後方向に互いに重ね合わされて配置されており、それぞれが画像を表示する。以下では、２枚の表示パネルを備える液晶表示装置ＬＣＤを例に挙げて説明する。
【００２４】
図１は、本実施形態に係る液晶表示装置ＬＣＤの概略構成を示す斜視図である。図１に示すように、液晶表示装置ＬＣＤは、観察者に近い位置（前側）に配置された第１表示パネルＬＣＰ１と、第１表示パネルＬＣＰ１より観察者から遠い位置（後側）に配置された第２表示パネルＬＣＰ２と、第１表示パネルＬＣＰ１及び第２表示パネルＬＣＰ２を貼り合わせる接着層ＳＥＦＩＬと、第２表示パネルＬＣＰ２の背面側に配置されたバックライトＢＬと、表示面側から第１表示パネルＬＣＰ１及び第２表示パネルＬＣＰ２を覆うフロントシャーシＦＳとを含んでいる。尚、第２表示パネルＬＣＰ２が前側に配置され、第１表示パネルＬＣＰ１が後側に配置されてもよい。
【００２５】
図２は、本実施形態に係る液晶表示装置ＬＣＤの概略構成を模式的に示す図である。図２に示すように、第１表示パネルＬＣＰ１は、第１ソースドライバＳＤ１と第１ゲートドライバＧＤ１とを含み、第２表示パネルＬＣＰ２は、第２ソースドライバＳＤ２と第２ゲートドライバＧＤ２とを含んでいる。また液晶表示装置ＬＣＤは、第１ソースドライバＳＤ１及び第１ゲートドライバＧＤ１を制御する第１タイミングコントローラＴＣＯＮ１と、第２ソースドライバＳＤ２及び第２ゲートドライバＧＤ２を制御する第２タイミングコントローラＴＣＯＮ２と、第１タイミングコントローラＴＣＯＮ１及び第２タイミングコントローラＴＣＯＮ２に画像データを出力する画像処理部ＩＰＵと、を含んでいる。第１表示パネルＬＣＰ１は入力映像信号に応じたカラー画像を第１画像表示領域ＤＩＳＰ１に表示し、第２表示パネルＬＣＰ２は入力映像信号に応じた白黒画像を第２画像表示領域ＤＩＳＰ２に表示する。画像処理部ＩＰＵは、外部のシステム（図示せず）から送信された入力映像信号Ｄａｔａを受信し、周知の画像処理を実行した後、第１タイミングコントローラＴＣＯＮ１に第１画像データＤＡＴ１を出力し、第２タイミングコントローラＴＣＯＮ２に第２画像データＤＡＴ２を出力する。また画像処理部ＩＰＵは、第１タイミングコントローラＴＣＯＮ１及び第２タイミングコントローラＴＣＯＮ２に同期信号等の制御信号（図２では省略）を出力する。第１画像データＤＡＴ１はカラー画像表示用の画像データであり、第２画像データＤＡＴ２は白黒画像表示用の画像データである。
【００２６】
［実施形態１］
図３は実施形態１に係る第１表示パネルＬＣＰ１の概略構成を示す平面図であり、図４は実施形態１に係る第２表示パネルＬＣＰ２の概略構成を示す平面図である。図５は、図３及び図４の５−５´切断線における断面図である。
【００２７】
図３及び図５を用いて、第１表示パネルＬＣＰ１の概略構成について説明する。図５に示すように、第１表示パネルＬＣＰ１は、バックライトＢＬ側に配置された薄膜トランジスタ基板ＴＦＴ１と、観察者側に配置され、薄膜トランジスタ基板ＴＦＴ１に対向するカラーフィルタ基板ＣＦ１と、薄膜トランジスタ基板ＴＦＴ１及びカラーフィルタ基板ＣＦ１の間に配置された液晶層ＬＣ１と、を含んでいる。第１表示パネルＬＣＰ１のバックライトＢＬ側には偏光板ＰＯＬ２が配置されており、観察者側には偏光板ＰＯＬ１が配置されている。
【００２８】
薄膜トランジスタ基板ＴＦＴ１には、図３に示すように、第１方向（例えば列方向）に延在する複数のソース線ＳＬと、第１方向とは異なる第２方向（例えば行方向）に延在する複数のゲート線ＧＬとが形成され、複数のソース線ＳＬと複数のゲート線ＧＬとのそれぞれの交差部近傍に薄膜トランジスタＴＦＴが形成されている。第１表示パネルＬＣＰ１を平面的に見て、隣り合う２本のソース線ＳＬと隣り合う２本のゲート線ＧＬとにより囲まれる領域が１つの画素ＰＩＸ１として規定され、該画素ＰＩＸ１がマトリクス状（行方向及び列方向）に複数配置されている。複数のソース線ＳＬは、行方向に等間隔で配置されており、複数のゲート線ＧＬは、列方向に等間隔で配置されている。薄膜トランジスタ基板ＴＦＴ１には、画素ＰＩＸ１ごとに画素電極ＰＸが形成されており、複数の画素ＰＩＸ１に共通する１つの共通電極ＣＴ（図８参照）が形成されている。薄膜トランジスタＴＦＴを構成するソース電極はソース線ＳＬに電気的に接続され、ドレイン電極ＤＤ（図７参照）はコンタクトホールを介して画素電極ＰＸに電気的に接続され、ゲート電極はゲート線ＧＬに電気的に接続されている。
【００２９】
図５に示すように、カラーフィルタ基板ＣＦ１には、各画素ＰＩＸ１に対応して複数のカラーフィルタ層ＦＩＬ（着色部）が形成されている。各カラーフィルタ層ＦＩＬは、光の透過を遮断するブラックマトリクスＢＭ１で囲まれており、例えば矩形状に形成されている。また、複数のカラーフィルタ層ＦＩＬは、赤色（Ｒ色）の材料で形成され、赤色の光を透過する赤色カラーフィルタ層ＦＩＬＲ（赤色部）と、緑色（Ｇ色）の材料で形成され、緑色の光を透過する緑色カラーフィルタ層ＦＩＬＧ（緑色部）と、青色（Ｂ色）の材料で形成され、青色の光を透過する青色カラーフィルタ層ＦＩＬＢ（青色部）と、を含んでいる。赤色カラーフィルタ層ＦＩＬＲ、緑色カラーフィルタ層ＦＩＬＧ、及び青色カラーフィルタ層ＦＩＬＢは、行方向にこの順に繰り返し配列され、同一色のカラーフィルタ層ＦＩＬが列方向に配列され、行方向及び列方向に隣り合うカラーフィルタ層ＦＩＬの境界部分にブラックマトリクスＢＭが形成されている。各カラーフィルタ層ＦＩＬに対応して、複数の画素ＰＩＸ１は、図３に示すように、赤色カラーフィルタ層ＦＩＬＲに対応する赤色画素ＰＩＸＲと、緑色カラーフィルタ層ＦＩＬＧに対応する緑色画素ＰＩＸＧと、青色カラーフィルタ層ＦＩＬＢに対応する青色画素ＰＩＸＢと、を含んでいる。第１表示パネルＬＣＰ１では、赤色画素ＰＩＸＲ、緑色画素ＰＩＸＧ、青色画素ＰＩＸＢが行方向にこの順に繰り返し配列されており、列方向には同一色の画素ＰＩＸ１が配列されている。
【００３０】
第１タイミングコントローラＴＣＯＮ１は、周知の構成を備えている。例えば第１タイミングコントローラＴＣＯＮ１は、画像処理部ＩＰＵから出力される第１画像データＤＡＴ１と第１制御信号ＣＳ１（クロック信号、垂直同期信号、水平同期信号等）とに基づいて、第１画像データＤＡ１と、第１ソースドライバＳＤ１及び第１ゲートドライバＧＤ１の駆動を制御するための各種タイミング信号（データスタートパルスＤＳＰ１、データクロックＤＣＫ１、ゲートスタートパルスＧＳＰ１、ゲートクロックＧＣＫ１）とを生成する（図３参照）。第１タイミングコントローラＴＣＯＮ１は、第１画像データＤＡ１と、データスタートパルスＤＳＰ１と、データクロックＤＣＫ１とを第１ソースドライバＳＤ１に出力し、ゲートスタートパルスＧＳＰ１とゲートクロックＧＣＫ１とを第１ゲートドライバＧＤ１に出力する。
【００３１】
第１ソースドライバＳＤ１は、データスタートパルスＤＳＰ１及びデータクロックＤＣＫ１に基づいて、第１画像データＤＡ１に応じたデータ信号（データ電圧）をソース線ＳＬに出力する。第１ゲートドライバＧＤ１は、ゲートスタートパルスＧＳＰ１及びゲートクロックＧＣＫ１に基づいて、ゲート信号（ゲート電圧）をゲート線ＧＬに出力する。
【００３２】
各ソース線ＳＬには、第１ソースドライバＳＤ１からデータ電圧が供給され、各ゲート線ＧＬには、第１ゲートドライバＧＤ１からゲート電圧が供給される。共通電極ＣＴには、コモンドライバ（図示せず）から共通電圧Ｖｃｏｍが供給される。ゲート電圧（ゲートオン電圧）がゲート線ＧＬに供給されると、ゲート線ＧＬに接続された薄膜トランジスタＴＦＴがオンし、薄膜トランジスタＴＦＴに接続されたソース線ＳＬを介して、データ電圧が画素電極ＰＸに供給される。画素電極ＰＸに供給されたデータ電圧と、共通電極ＣＴに供給された共通電圧Ｖｃｏｍとの差により電界が生じる。この電界により液晶を駆動してバックライトＢＬの光の透過率を制御することによって画像表示を行う。第１表示パネルＬＣＰ１では、赤色画素ＰＩＸＲ、緑色画素ＰＩＸＧ、青色画素ＰＩＸＢそれぞれの画素電極ＰＸに接続されたソース線ＳＬに、所望のデータ電圧を供給することにより、カラー画像表示が行われる。
【００３３】
次に、図４及び図５を用いて、第２表示パネルＬＣＰ２の構成について説明する。図５に示すように、第２表示パネルＬＣＰ２は、バックライトＢＬ側に配置された薄膜トランジスタ基板ＴＦＴ２と、観察者側に配置され、薄膜トランジスタ基板ＴＦＴ２に対向するカラーフィルタ基板ＣＦ２と、薄膜トランジスタ基板ＴＦＴ２及びカラーフィルタ基板ＣＦ２の間に配置された液晶層ＬＣ２と、を含んでいる。第２表示パネルＬＣＰ２のバックライトＢＬ側には偏光板ＰＯＬ４が配置されており、観察者側には偏光板ＰＯＬ３が配置されている。第１表示パネルＬＣＰ１の偏光板ＰＯＬ２と、第２表示パネルＬＣＰ２の偏光板ＰＯＬ３との間には、接着層ＳＥＦＩＬが配置されている。
【００３４】
薄膜トランジスタ基板ＴＦＴ２には、図４に示すように、列方向に延在する複数のソース線ＳＬと、行方向に延在する複数のゲート線ＧＬとが形成され、複数のソース線ＳＬと複数のゲート線ＧＬとのそれぞれの交差部近傍に薄膜トランジスタＴＦＴが形成されている。第２表示パネルＬＣＰ２を平面的に見て、隣り合う２本のソース線ＳＬと隣り合う２本のゲート線ＧＬとにより囲まれる領域が１つの画素ＰＩＸ２として規定され、該画素ＰＩＸ２がマトリクス状（行方向及び列方向）に複数配置されている。複数のゲート線ＧＬは、列方向に等間隔で配置されている。薄膜トランジスタ基板ＴＦＴ２には、画素ＰＩＸ２ごとに画素電極ＰＸが形成されており、複数の画素ＰＩＸ２に共通する１つの共通電極ＣＴ（図８参照）が形成されている。薄膜トランジスタＴＦＴを構成するソース電極はソース線ＳＬに電気的に接続され、ドレイン電極ＤＤ（図７参照）はコンタクトホールを介して画素電極ＰＸに電気的に接続され、ゲート電極はゲート線ＧＬに電気的に接続されている。
【００３５】
図５に示すように、カラーフィルタ基板ＣＦ２には、各画素ＰＩＸ２の境界部分に対応する位置にブラックマトリクスＢＭ２が形成されている。ブラックマトリクスＢＭ２で囲まれた領域には、カラーフィルタ層（着色部）は形成されておらず、例えばオーバーコート膜ＯＣが形成されている。
【００３６】
第２タイミングコントローラＴＣＯＮ２は、周知の構成を備えている。例えば第２タイミングコントローラＴＣＯＮ２は、画像処理部ＩＰＵから出力される第２画像データＤＡＴ２と第２制御信号ＣＳ２（クロック信号、垂直同期信号、水平同期信号等）とに基づいて、第２画像データＤＡ２と、第２ソースドライバＳＤ２及び第２ゲートドライバＧＤ２の駆動を制御するための各種タイミング信号（データスタートパルスＤＳＰ２、データクロックＤＣＫ２、ゲートスタートパルスＧＳＰ２、ゲートクロックＧＣＫ２）とを生成する（図４参照）。第２タイミングコントローラＴＣＯＮ２は、第２画像データＤＡ２と、データスタートパルスＤＳＰ２と、データクロックＤＣＫ２とを第２ソースドライバＳＤ２に出力し、ゲートスタートパルスＧＳＰ２とゲートクロックＧＣＫ２とを第２ゲートドライバＧＤ２に出力する。
【００３７】
第２ソースドライバＳＤ２は、データスタートパルスＤＳＰ２及びデータクロックＤＣＫ２に基づいて、第２画像データＤＡ２に応じたデータ電圧をソース線ＳＬに出力する。第２ゲートドライバＧＤ２は、ゲートスタートパルスＧＳＰ２及びゲートクロックＧＣＫ２に基づいて、ゲート電圧をゲート線ＧＬに出力する。
【００３８】
各ソース線ＳＬには、第２ソースドライバＳＤ２からデータ電圧が供給され、各ゲート線ＧＬには、第２ゲートドライバＧＤ２からゲート電圧が供給される。共通電極ＣＴには、コモンドライバから共通電圧Ｖｃｏｍが供給される。ゲート電圧（ゲートオン電圧）がゲート線ＧＬに供給されると、ゲート線ＧＬに接続された薄膜トランジスタＴＦＴがオンし、薄膜トランジスタＴＦＴに接続されたソース線ＳＬを介して、データ電圧が画素電極ＰＸに供給される。画素電極ＰＸに供給されたデータ電圧と、共通電極ＣＴに供給された共通電圧Ｖｃｏｍとの差により電界が生じる。この電界により液晶を駆動してバックライトＢＬの光の透過率を制御することによって画像表示を行う。第２表示パネルＬＣＰ２では、白黒画像表示が行われる。
【００３９】
液晶表示装置ＬＣＤは、第２表示パネルＬＣＰ２の単位面積当たりの画素ＰＩＸ２の数が、第１表示パネルＬＣＰ１の単位面積当たりの画素ＰＩＸ１の数より少なくなるように構成されている。例えば、液晶表示装置ＬＣＤは、第１表示パネルＬＣＰ１の２個の画素ＰＩＸ１と第２表示パネルＬＣＰ２の１個の画素ＰＩＸ２（ＰＩＸａ）とが対応（平面視で重畳）する領域と、第１表示パネルＬＣＰ１の１個の画素ＰＩＸ１と第２表示パネルＬＣＰ２の１個の画素ＰＩＸ２（ＰＩＸｂ）とが対応（平面視で重畳）する領域とを含んでいる。
【００４０】
図６は、互いに重なり合う、第１表示パネルＬＣＰ１の画素ＰＩＸ１と、第２表示パネルＬＣＰ２の画素ＰＩＸ２との関係を示す平面図であり、図７は、図６に対応する画素ＰＩＸ１、ＰＩＸ２の具体的な構成を示す平面図である。図６に示す例では、第１表示パネルＬＣＰ１の１個の青色画素ＰＩＸＢ及び１個の赤色画素ＰＩＸＲと、第２表示パネルＬＣＰ２の１個の画素ＰＩＸａとが平面視で互いに重なり合い、第１表示パネルＬＣＰ１の１個の緑色画素ＰＩＸＧと、第２表示パネルＬＣＰ２の１個の画素ＰＩＸｂとが平面視で互いに重なり合うように配置されている。第１表示パネルＬＣＰ１の各画素ＰＩＸ１の面積（大きさ）が互いに等しい場合、第２表示パネルＬＣＰ２の１個の画素ＰＩＸｂの面積は、第１表示パネルＬＣＰ１の１個の画素ＰＩＸ１の面積と等しく、第２表示パネルＬＣＰ２の１個の画素ＰＩＸａの面積は、第１表示パネルＬＣＰ１の１個の画素ＰＩＸ１（又は第２表示パネルＬＣＰ２の１個の画素ＰＩＸｂ）の面積の２倍となっている。また１個の画素ＰＩＸａの面積は、１個の青色画素ＰＩＸＢの面積と１個の赤色画素ＰＩＸＲの面積とを合計した面積に等しく、１個の画素ＰＩＸｂの面積は、１個の緑色画素ＰＩＸＧの面積に等しくなっている。尚、図６には、共通電極ＣＴに接続される共通配線ＣＬと、液晶容量ＣＬＣとを示している。また図７には、薄膜トランジスタＴＦＴを構成する半導体層ＳＩとドレイン電極ＤＤとを示している。図７に示すように、画素電極ＰＸにスリットが形成されてもよい。
【００４１】
図８は、図７の８−８´切断線における断面図である。図８を用いて画素ＰＩＸ１、ＰＩＸ２の断面構造について説明する。
【００４２】
第１表示パネルＬＣＰ１の画素ＰＩＸ１を構成する薄膜トランジスタ基板ＴＦＴ１では、透明基板ＳＵＢ２（ガラス基板）上にゲート線ＧＬ（図７参照）が形成されており、ゲート線ＧＬを覆うようにゲート絶縁膜ＧＳＮが形成されている。ゲート絶縁膜ＧＳＮ上にソース線ＳＬが形成されており、ソース線ＳＬを覆うように保護膜ＰＡＳ及び有機膜ＯＰＡＳが形成されており、有機膜ＯＰＡＳ上に共通電極ＣＴが形成されており、共通電極ＣＴを覆うように保護膜ＵＰＡＳが形成されている。保護膜ＵＰＡＳ上に画素電極ＰＸが形成されており、画素電極ＰＸを覆うように配向膜（図示せず）が形成されている。ソース線ＳＬは行方向に等間隔に配置されている。カラーフィルタ基板ＣＦ１では、透明基板ＳＵＢ１（ガラス基板）上に、ブラックマトリクスＢＭ及びカラーフィルタ層ＦＩＬ（赤色カラーフィルタ層ＦＩＬＲ、緑色カラーフィルタ層ＦＩＬＧ、及び青色カラーフィルタ層ＦＩＬＢ）が形成されている。カラーフィルタ層ＦＩＬの表面にはオーバーコート膜ＯＣが被覆されており、オーバーコート膜ＯＣ上に配向膜（図示せず）が形成されている。
【００４３】
第２表示パネルＬＣＰ２の画素ＰＩＸ２では、ソース線ＳＬ及びブラックマトリクスＢＭが、平面視で、第１表示パネルＬＣＰ１の緑色画素ＰＩＸＧと青色画素ＰＩＸＢとの境界に重なる部分と、第１表示パネルＬＣＰ１の緑色画素ＰＩＸＧと赤色画素ＰＩＸＲとの境界に重なる部分とに形成されており、第１表示パネルＬＣＰ１の青色画素ＰＩＸＢと赤色画素ＰＩＸＲとの境界に重なる部分に形成されていない。すなわち、第２表示パネルＬＣＰ２では、ソース線ＳＬが、平面視で、緑色画素ＰＩＸＧの境界に配置され、緑色画素ＰＩＸＧを挟むように配置されている。また、第２表示パネルＬＣＰ２の画素ＰＩＸ２では、カラーフィルタ基板ＣＦ２にカラーフィルタ層ＦＩＬが形成されていない。第２表示パネルＬＣＰ２の画素ＰＩＸ２のその他の画素構造は、第１表示パネルＬＣＰ１の画素ＰＩＸ１の画素構造と同一である。
【００４４】
上記の通り、第１表示パネルＬＣＰ１の１個の画素ＰＩＸ１（第１色の画素）と、第２表示パネルＬＣＰ２の１個の画素ＰＩＸ２とが重畳し、第１表示パネルＬＣＰ１の２個の画素ＰＩＸ１（第２色の画素、第３色の画素）と、第２表示パネルＬＣＰ２の１個の画素ＰＩＸ２とが重畳して配置される。例えば、第１表示パネルＬＣＰ１の１個の緑色画素ＰＩＸＧと、第２表示パネルＬＣＰ２の１個の画素ＰＩＸ２（画素ＰＩＸｂ）とが重畳し、第１表示パネルＬＣＰ１の１個の青色画素ＰＩＸＢ及び１個の赤色画素ＰＩＸＲと、第２表示パネルＬＣＰ２の１個の画素ＰＩＸ２（画素ＰＩＸａ）とが重畳して配置される。上記構成において、図９（ａ）に示すように青色の単色画像を表示する場合、第１表示パネルＬＣＰ１では青色画素ＰＩＸＢをオン状態にし、赤色画素ＰＩＸＲ及び緑色画素ＰＩＸＧをオフ状態にする。また、第２表示パネルＬＣＰ２では、青色画素ＰＩＸＢと赤色画素ＰＩＸＲに重畳する画素ＰＩＸａをオン状態にし、緑色画素ＰＩＸＧに重畳する画素ＰＩＸｂをオフ状態にする。この状態で、ＲＧＢ成分を含むバックライト光（白色）を照射すると、図９（ｂ）に示すように、青色画素ＰＩＸＢからは本来の表示光（青色）が出射される。また、緑色画素ＰＩＸＧでは、第２表示パネルＬＣＰ２の漏れ光（白色）が第１表示パネルＬＣＰ１に入射され、この漏れ光のうち赤色成分及び青色成分は緑色カラーフィルタ層ＦＩＬＧで遮光され、緑色成分は偏光板ＰＯＬ１で遮光される。このように、１対１の関係で配置される緑色画素ＰＩＸＧと画素ＰＩＸｂとのオン／オフを他の画素とは独立して制御することができる。このため、第２表示パネルＬＣＰ２で光漏れが生じたとしても、この漏れ光の各色成分を第１表示パネルＬＣＰ１のカラーフィルタ層ＦＩＬ及び偏光板ＰＯＬ１で遮光することができる。これにより、従来の構成と比較して、光漏れを低減することができるため、色再現性を向上させることができる。また上記の例では、第１表示パネルＬＣＰ１の緑色画素ＰＩＸＧと第２表示パネルＬＣＰ２の画素ＰＩＸｂとを１対１の関係で配置しているため、他の色よりも視感度が高い緑色成分の光漏れを抑えることができる。このため、色再現性をさらに高めることができる。
【００４５】
また、上記構成によれば、第２表示パネルＬＣＰ２の第２ソースドライバＳＤ２の規模を縮小することができる。図１０は、第１表示パネルＬＣＰ１及び第２表示パネルＬＣＰ２のドライバの構成を示す図である。第１表示パネルＬＣＰ１には、それぞれにソースドライバＩＣ（ＳＩＣ）が実装された６個のＴＣＰ（Tape Carrier Package）が接続されており、各ＴＣＰがソースプリント基板ＳＫＩＢに接続されている。これに対して、第２表示パネルＬＣＰ２には、それぞれにソースドライバＩＣ（ＳＩＣ）が実装された４個のＴＣＰが接続されており、各ＴＣＰがソースプリント基板ＳＫＩＢに接続されている。このように、第１表示パネルＬＣＰ１と比較して、第２表示パネルＬＣＰ２のソースドライバＩＣの数を削減することができるため、液晶表示装置ＬＣＤのコストを低減することができる。
【００４６】
［実施形態２］
本発明の実施形態２について、図面を用いて以下に説明する。なお、説明の便宜上、実施形態１において示した構成要素と構成要素には同一の符号を付し、その説明を省略する。また、実施形態１において定義した用語については特に断らない限り本実施形態においてもその定義に則って用いるものとする。なお、後述の各実施形態についても同様である。
【００４７】
図１１は実施形態２に係る第１表示パネルＬＣＰ１の概略構成を示す平面図であり、図１２は実施形態２に係る第２表示パネルＬＣＰ２の概略構成を示す平面図である。
【００４８】
図１１に示すように、第１表示パネルＬＣＰ１では、複数の画素ＰＩＸ１が、赤色画素ＰＩＸＲと緑色画素ＰＩＸＧと青色画素ＰＩＸＢと白色画素ＰＩＸＷとを含んでおり、赤色画素ＰＩＸＲ、緑色画素ＰＩＸＧ、青色画素ＰＩＸＢ、白色画素ＰＩＸＷが行方向にこの順に繰り返し配列されており、列方向には同一色の画素ＰＩＸ１が配列されている。
【００４９】
実施形態２に係る液晶表示装置ＬＣＤにおいても、実施形態１と同様に、第２表示パネルＬＣＰ２の単位面積当たりの画素ＰＩＸ２の数が、第１表示パネルＬＣＰ１の単位面積当たりの画素ＰＩＸ１の数より少なくなるように構成されている。具体的には、液晶表示装置ＬＣＤは、第１表示パネルＬＣＰ１の３個の画素ＰＩＸ１と第２表示パネルＬＣＰ２の１個の画素ＰＩＸ２（ＰＩＸａ）とが対応（平面視で重畳）する領域と、第１表示パネルＬＣＰ１の１個の画素ＰＩＸ１と第２表示パネルＬＣＰ２の１個の画素ＰＩＸ２（ＰＩＸｂ）とが対応（平面視で重畳）する領域とを含んでいる。
【００５０】
図１３は、互いに重なり合う、第１表示パネルＬＣＰ１の画素ＰＩＸ１と、第２表示パネルＬＣＰ２の画素ＰＩＸ２との関係を示す平面図であり、図１４は、図１３に対応する画素ＰＩＸ１、ＰＩＸ２の具体的な構成を示す平面図である。図１３に示す例では、第１表示パネルＬＣＰ１の１個の赤色画素ＰＩＸＲ、１個の緑色画素ＰＩＸＧ及び１個の青色画素ＰＩＸＢと、第２表示パネルＬＣＰ２の１個の画素ＰＩＸａとが平面視で互いに重なり合い、第１表示パネルＬＣＰ１の１個の白色画素ＰＩＸＷと、第２表示パネルＬＣＰ２の１個の画素ＰＩＸｂとが平面視で互いに重なり合うように配置されている。第１表示パネルＬＣＰ１の各画素ＰＩＸ１の面積（大きさ）が互いに等しい場合、第２表示パネルＬＣＰ２の１個の画素ＰＩＸｂの面積は、第１表示パネルＬＣＰ１の１個の画素ＰＩＸ１の面積と等しく、第２表示パネルＬＣＰ２の１個の画素ＰＩＸａの面積は、第１表示パネルＬＣＰ１の１個の画素ＰＩＸ１（又は第２表示パネルＬＣＰ２の１個の画素ＰＩＸｂ）の面積の３倍となっている。また１個の画素ＰＩＸａの面積は、１個の赤色画素ＰＩＸＲの面積と１個の緑色画素ＰＩＸＧの面積と１個の青色画素ＰＩＸＢの面積とを合計した面積に等しく、１個の画素ＰＩＸｂの面積は、１個の白色画素ＰＩＸＷの面積に等しくなっている。
【００５１】
図１５は、図１４の１５−１５´切断線における断面図である。図１５を用いて画素ＰＩＸ１、ＰＩＸ２の断面構造について説明する。
【００５２】
第１表示パネルＬＣＰ１のカラーフィルタ基板ＣＦ１には、赤色画素ＰＩＸＲに対応する赤色カラーフィルタ層ＦＩＬＲ、緑色画素ＰＩＸＧに対応する緑色カラーフィルタ層ＦＩＬＧ、及び、青色画素ＰＩＸＢに対応する青色カラーフィルタ層ＦＩＬＢが形成されており、白色画素ＰＩＸＷに対応する部分（白色部）にはカラーフィルタ層ＦＩＬは形成されておらず、オーバーコート膜ＯＣが形成されている。
【００５３】
第２表示パネルＬＣＰ２の画素ＰＩＸ２では、ソース線ＳＬ及びブラックマトリクスＢＭが、平面視で、第１表示パネルＬＣＰ１の白色画素ＰＩＸＷと青色画素ＰＩＸＢとの境界に重なる部分と、第１表示パネルＬＣＰ１の白色画素ＰＩＸＷと赤色画素ＰＩＸＲとの境界に重なる部分とに形成されており、第１表示パネルＬＣＰ１の赤色画素ＰＩＸＲと緑色画素ＰＩＸＧとの境界に重なる部分と、第１表示パネルＬＣＰ１の緑色画素ＰＩＸＧと青色画素ＰＩＸＢとの境界に重なる部分とに形成されていない。すなわち、第２表示パネルＬＣＰ２では、ソース線ＳＬが、平面視で、白色画素ＰＩＸＷの境界に配置され、白色画素ＰＩＸＷを挟むように配置されている。
【００５４】
実施形態２では、第１表示パネルＬＣＰ１の１個の白色画素ＰＩＸＷと、第２表示パネルＬＣＰ２の１個の画素ＰＩＸ２（画素ＰＩＸｂ）とが重畳し、第１表示パネルＬＣＰ１の１個の赤色画素ＰＩＸＲ、１個の緑色画素ＰＩＸＧ及び１個の青色画素ＰＩＸＢと、第２表示パネルＬＣＰ２の１個の画素ＰＩＸ２（画素ＰＩＸａ）とが重畳して配置される。上記構成において、図１６（ａ）に示すように青色の単色画像を表示する場合、第１表示パネルＬＣＰ１では青色画素ＰＩＸＢをオン状態にし、赤色画素ＰＩＸＲ、緑色画素ＰＩＸＧ及び白色画素ＰＩＸＷをオフ状態にする。また、第２表示パネルＬＣＰ２では赤色画素ＰＩＸＲと緑色画素ＰＩＸＧと青色画素ＰＩＸＢに重畳する画素ＰＩＸａをオン状態にし、白色画素ＰＩＸＷに重畳する画素ＰＩＸｂをオフ状態にする。この状態で、ＲＧＢ成分を含むバックライト光（白色）を照射すると、図１６（ｂ）に示すように、青色画素ＰＩＸＢからは表示光（青色）が出射される。白色画素ＰＩＸＷでは、第２表示パネルＬＣＰ２の漏れ光（白色）が第１表示パネルＬＣＰ１に入射され、この漏れ光の各色成分はカラーフィルタ基板ＣＦ２を通過した後、偏光板ＰＯＬ１で遮光される。
【００５５】
ここで、もし第２表示パネルＬＣＰ２の画素ＰＩＸｂがオン状態になる場合、バックライト光（白色）が第２表示パネルＬＣＰ２で遮光されずに第１表示パネルＬＣＰ１に入射される。そして、白色画素ＰＩＸＷでは、カラーフィルタ層ＦＩＬがないため、第１表示パネルＬＣＰ１に入射されたバックライト光（白色）の各色（赤色、緑色、青色）の成分が、何れも漏れ光として外部に出射される。このため、視感度が高い光が漏れるため、色再現性を特に悪化させる。この点、実施形態２の構成では、１対１の関係で配置される白色画素ＰＩＸＷと画素ＰＩＸｂとのオン／オフを他の画素とは独立して制御することができる。このため、バックライト光（白色）を第２表示パネルＬＣＰ２で遮光することができ、また第２表示パネルＬＣＰ２で光漏れが生じたとしても、この漏れ光の各色成分を第１表示パネルＬＣＰ１の偏光板ＰＯＬ１で遮光することができるため、色再現性を向上させることができる。
【００５６】
図１７は、第１表示パネルＬＣＰ１及び第２表示パネルＬＣＰ２のドライバの構成を示す図である。第１表示パネルＬＣＰ１には、ソースドライバＩＣ（ＳＩＣ）が６個実装されており、第２表示パネルＬＣＰ２には、ソースドライバＩＣ（ＳＩＣ）が３個実装されている。よって、第１表示パネルＬＣＰ１と比較して、第２表示パネルＬＣＰ２のソースドライバＩＣの数を削減することができるため、液晶表示装置ＬＣＤのコストを低減することができる。
【００５７】
［実施形態３］
図１８は実施形態３に係る第１表示パネルＬＣＰ１の概略構成を示す平面図であり、図１９は実施形態３に係る第２表示パネルＬＣＰ２の概略構成を示す平面図である。
【００５８】
図１８に示すように、第１表示パネルＬＣＰ１では、複数の画素ＰＩＸ１が、赤色画素ＰＩＸＲと青色画素ＰＩＸＢと緑色画素ＰＩＸＧと白色画素ＰＩＸＷとを含んでおり、赤色画素ＰＩＸＲ、青色画素ＰＩＸＢ、緑色画素ＰＩＸＧ、白色画素ＰＩＸＷが行方向にこの順に繰り返し配列されており、列方向には同一色の画素ＰＩＸ１が配列されている。
【００５９】
実施形態３に係る液晶表示装置ＬＣＤにおいても、実施形態１と同様に、第２表示パネルＬＣＰ２の単位面積当たりの画素ＰＩＸ２の数が、第１表示パネルＬＣＰ１の単位面積当たりの画素ＰＩＸ１の数より少なくなるように構成されている。具体的には、液晶表示装置ＬＣＤは、第１表示パネルＬＣＰ１の２個の画素ＰＩＸ１と第２表示パネルＬＣＰ２の１個の画素ＰＩＸ２（ＰＩＸａ又はＰＩＸｂ）とが対応（平面視で重畳）するように配置されている。
【００６０】
図２０は、互いに重なり合う、第１表示パネルＬＣＰ１の画素ＰＩＸ１と、第２表示パネルＬＣＰ２の画素ＰＩＸ２との関係を示す平面図であり、図２１は、図２０に対応する画素ＰＩＸ１、ＰＩＸ２の具体的な構成を示す平面図である。図２０に示す例では、第１表示パネルＬＣＰ１の１個の赤色画素ＰＩＸＲ及び１個の青色画素ＰＩＸＢと、第２表示パネルＬＣＰ２の１個の画素ＰＩＸａとが平面視で互いに重なり合い、第１表示パネルＬＣＰ１の１個の緑色画素ＰＩＸＧ及び１個の白色画素ＰＩＸＷと、第２表示パネルＬＣＰ２の１個の画素ＰＩＸｂとが平面視で互いに重なり合うように配置されている。第１表示パネルＬＣＰ１の各画素ＰＩＸ１の面積（大きさ）が互いに等しい場合、第２表示パネルＬＣＰ２の各画素ＰＩＸａ、ＰＩＸｂの面積は、第１表示パネルＬＣＰ１の１個の画素ＰＩＸ１の面積の２倍となっている。また、各画素ＰＩＸａ、ＰＩＸｂの面積は、１個の赤色画素ＰＩＸＲの面積と１個の青色画素ＰＩＸＢの面積と１個の緑色画素ＰＩＸＧの面積と１個の白色画素ＰＩＸＷの面積とを合計した面積より小さくなっている。
【００６１】
図２２は、図２１の２２−２２´切断線における断面図である。図２２を用いて画素ＰＩＸ１、ＰＩＸ２の断面構造について説明する。
【００６２】
第１表示パネルＬＣＰ１のカラーフィルタ基板ＣＦ１には、赤色画素ＰＩＸＲに対応する赤色カラーフィルタ層ＦＩＬＲ、青色画素ＰＩＸＢに対応する青色カラーフィルタ層ＦＩＬＢ、及び、緑色画素ＰＩＸＧに対応する緑色カラーフィルタ層ＦＩＬＧが形成されており、白色画素ＰＩＸＷに対応する部分にはカラーフィルタ層ＦＩＬは形成されておらず、オーバーコート膜ＯＣが形成されている。
【００６３】
第２表示パネルＬＣＰ２の画素ＰＩＸ２では、ソース線ＳＬ及びブラックマトリクスＢＭが、平面視で、第１表示パネルＬＣＰ１の青色画素ＰＩＸＢと緑色画素ＰＩＸＧとの境界に重なる部分と、第１表示パネルＬＣＰ１の白色画素ＰＩＸＷと赤色画素ＰＩＸＲとの境界に重なる部分とに形成されており、第１表示パネルＬＣＰ１の赤色画素ＰＩＸＲと青色画素ＰＩＸＢとの境界に重なる部分と、第１表示パネルＬＣＰ１の緑色画素ＰＩＸＧと白色画素ＰＩＸＷとの境界に重なる部分とに形成されていない。すなわち、第２表示パネルＬＣＰ２では、ソース線ＳＬが、平面視で、緑色画素ＰＩＸＧと白色画素ＰＩＸＷとを含む画素グループの境界に配置され、該画素グループを挟むように配置されている。
【００６４】
実施形態３では、第１表示パネルＬＣＰ１の１個の緑色画素ＰＩＸＧ及び１個の白色画素ＰＩＸＷと、第２表示パネルＬＣＰ２の１個の画素ＰＩＸ２（画素ＰＩＸｂ）とが重畳し、第１表示パネルＬＣＰ１の１個の赤色画素ＰＩＸＲ及び１個の青色画素ＰＩＸＢと、第２表示パネルＬＣＰ２の１個の画素ＰＩＸ２（画素ＰＩＸａ）とが重畳して配置される。
【００６５】
上記構成によれば、青色の単色画像を表示する場合、第１表示パネルＬＣＰ１の緑色画素ＰＩＸＧ及び白色画素ＰＩＸＷをオフ状態にし、第２表示パネルＬＣＰ２の画素ＰＩＸｂをオフ状態にする。すなわち、高輝度画素の緑色画素ＰＩＸＧ及び白色画素ＰＩＸＷを含む画素グループと、該画素グループと１対１の関係で配置される画素ＰＩＸｂとのオン／オフを他の画素とは独立して制御することができる。このため、図９（ｂ）及び図１６（ｂ）から分かるように、輝度が高い緑色画素ＰＩＸＧ及び白色画素ＰＩＸＷの漏れ光を遮光することができるため、第２表示パネルＬＣＰ２で光漏れが生じたとしても、この漏れ光の各色成分を第１表示パネルＬＣＰ１のカラーフィルタ層ＦＩＬ及び偏光板ＰＯＬ１で遮光することができるため、色再現性を向上させることができる。
【００６６】
実施形態３においても、第１表示パネルＬＣＰ１と比較して、第２表示パネルＬＣＰ２のソースドライバＩＣの数を削減することができるため、液晶表示装置ＬＣＤのコストを低減することができる。
【００６７】
［実施形態４］
図２３は実施形態４に係る第１表示パネルＬＣＰ１の概略構成を示す平面図であり、図２４は実施形態４に係る第２表示パネルＬＣＰ２の概略構成を示す平面図である。
【００６８】
図２３に示すように、第１表示パネルＬＣＰ１では、複数の画素ＰＩＸ１が、赤色画素ＰＩＸＲと緑色画素ＰＩＸＧと青色画素ＰＩＸＢとを含んでおり、赤色画素ＰＩＸＲ、緑色画素ＰＩＸＧ、青色画素ＰＩＸＢが行方向にこの順に繰り返し配列されており、列方向には同一色の画素ＰＩＸ１が配列されている。
【００６９】
実施形態４に係る液晶表示装置ＬＣＤにおいても、実施形態１と同様に、第２表示パネルＬＣＰ２の単位面積当たりの画素ＰＩＸ２の数が、第１表示パネルＬＣＰ１の単位面積当たりの画素ＰＩＸ１の数より少なくなるように構成されている。具体的には、液晶表示装置ＬＣＤは、第１表示パネルＬＣＰ１の４個（行方向及び列方向に２×２個）の画素ＰＩＸ１と第２表示パネルＬＣＰ２の１個の画素ＰＩＸ２（ＰＩＸａ）とが対応（平面視で重畳）する領域と、第１表示パネルＬＣＰ１の２個（行方向及び列方向に１×２個）の画素ＰＩＸ１と第２表示パネルＬＣＰ２の１個の画素ＰＩＸ２（ＰＩＸｂ）とが対応（平面視で重畳）する領域とを含んでいる。
【００７０】
図２５は、互いに重なり合う、第１表示パネルＬＣＰ１の画素ＰＩＸ１と、第２表示パネルＬＣＰ２の画素ＰＩＸ２との関係を示す平面図である。図２５に示す例では、第１表示パネルＬＣＰ１の列方向に隣り合う２個の青色画素ＰＩＸＢ及び２個の赤色画素ＰＩＸＲと、第２表示パネルＬＣＰ２の１個の画素ＰＩＸａとが平面視で互いに重なり合い、第１表示パネルＬＣＰ１の列方向に隣り合う２個の緑色画素ＰＩＸＧと、第２表示パネルＬＣＰ２の１個の画素ＰＩＸｂとが平面視で互いに重なり合うように配置されている。第１表示パネルＬＣＰ１の各画素ＰＩＸ１の面積（大きさ）が互いに等しい場合、第２表示パネルＬＣＰ２の１個の画素ＰＩＸａの面積は、第１表示パネルＬＣＰ１の１個の画素ＰＩＸ１の面積の４倍になっており、第２表示パネルＬＣＰ２の１個の画素ＰＩＸｂの面積は、画素ＰＩＸ１の面積の２倍になっている。また１個の画素ＰＩＸａの面積は、２個の赤色画素ＰＩＸＲの面積と２個の青色画素ＰＩＸＢの面積とを合計した面積に等しくなっており、１個の画素ＰＩＸｂの面積は、２個の緑色画素ＰＩＸＧの面積を合計した面積に等しくなっている。
【００７１】
上記構成によれば、実施形態１と同様に、青色の単色画像を表示する場合、第１表示パネルＬＣＰ１の緑色画素ＰＩＸＧをオフ状態にし、第２表示パネルＬＣＰ２の画素ＰＩＸｂをオフ状態にする。よって、図９（ｂ）に示すように、第２表示パネルＬＣＰ２で光漏れが生じたとしても、この漏れ光の各色成分を第１表示パネルＬＣＰ１のカラーフィルタ層ＦＩＬ及び偏光板ＰＯＬ１で遮光することができるため、色再現性を向上させることができる。
【００７２】
また実施形態４によれば、第１表示パネルＬＣＰ１と比較して、第２表示パネルＬＣＰ２のゲートドライバＩＣ及びソースドライバＩＣの数を削減することができるため、液晶表示装置ＬＣＤのコストをさらに低減することができる。
【００７３】
［実施形態５］
図２６は実施形態５に係る第１表示パネルＬＣＰ１の概略構成を示す平面図であり、図２７は実施形態５に係る第２表示パネルＬＣＰ２の概略構成を示す平面図である。
【００７４】
図２６に示すように、第１表示パネルＬＣＰ１では、複数の画素ＰＩＸ１が、赤色画素ＰＩＸＲと緑色画素ＰＩＸＧと青色画素ＰＩＸＢと白色画素ＰＩＸＷとを含んでおり、赤色画素ＰＩＸＲ、緑色画素ＰＩＸＧ、青色画素ＰＩＸＢ、白色画素ＰＩＸＷが行方向にこの順に繰り返し配列されており、列方向には同一色の画素ＰＩＸ１が配列されている。
【００７５】
実施形態５に係る液晶表示装置ＬＣＤにおいても、実施形態１と同様に、第２表示パネルＬＣＰ２の単位面積当たりの画素ＰＩＸ２の数が、第１表示パネルＬＣＰ１の単位面積当たりの画素ＰＩＸ１の数より少なくなるように構成されている。具体的には、液晶表示装置ＬＣＤは、第１表示パネルＬＣＰ１の６個（行方向及び列方向に３×２個）の画素ＰＩＸ１と第２表示パネルＬＣＰ２の１個の画素ＰＩＸ２（ＰＩＸａ）とが対応（平面視で重畳）する領域と、第１表示パネルＬＣＰ１の２個（行方向及び列方向に１×２個）の画素ＰＩＸ１と第２表示パネルＬＣＰ２の１個の画素ＰＩＸ２（ＰＩＸｂ）とが対応（平面視で重畳）する領域とを含んでいる。
【００７６】
図２８は、互いに重なり合う、第１表示パネルＬＣＰ１の画素ＰＩＸ１と、第２表示パネルＬＣＰ２の画素ＰＩＸ２との関係を示す平面図である。図２８に示す例では、第１表示パネルＬＣＰ１の列方向に隣り合う２個の赤色画素ＰＩＸＲ、２個の緑色画素ＰＩＸＧ及び２個の青色画素ＰＩＸＢと、第２表示パネルＬＣＰ２の１個の画素ＰＩＸａとが平面視で互いに重なり合い、第１表示パネルＬＣＰ１の列方向に隣り合う２個の白色画素ＰＩＸＷと、第２表示パネルＬＣＰ２の１個の画素ＰＩＸｂとが平面視で互いに重なり合うように配置されている。第１表示パネルＬＣＰ１の各画素ＰＩＸ１の面積（大きさ）が互いに等しい場合、第２表示パネルＬＣＰ２の１個の画素ＰＩＸａの面積は、第１表示パネルＬＣＰ１の１個の画素ＰＩＸ１の面積の６倍になっており、第２表示パネルＬＣＰ２の１個の画素ＰＩＸｂの面積は、画素ＰＩＸ１の面積の２倍になっている。また１個の画素ＰＩＸａの面積は、２個の赤色画素ＰＩＸＲの面積と２個の緑色画素ＰＩＸＧの面積と２個の青色画素ＰＩＸＢの面積とを合計した面積に等しくなっており、１個の画素ＰＩＸｂの面積は、２個の白色画素ＰＩＸＷの面積を合計した面積に等しくなっている。
【００７７】
上記構成によれば、実施形態２と同様に、青色の単色画像を表示する場合、第１表示パネルＬＣＰ１の白色画素ＰＩＸＷをオフ状態にし、第２表示パネルＬＣＰ２の画素ＰＩＸｂをオフ状態にする。よって、図１６（ｂ）に示すように、第２表示パネルＬＣＰ２で光漏れが生じたとしても、この漏れ光の各色成分を第１表示パネルＬＣＰ１の偏光板ＰＯＬ１で遮光することができるため、色再現性を向上させることができる。
【００７８】
また実施形態５によれば、第１表示パネルＬＣＰ１と比較して、第２表示パネルＬＣＰ２のゲートドライバＩＣ及びソースドライバＩＣの数を削減することができるため、液晶表示装置ＬＣＤのコストをさらに低減することができる。
【００７９】
［実施形態６］
図２９は実施形態６に係る第１表示パネルＬＣＰ１の概略構成を示す平面図であり、図３０は実施形態６に係る第２表示パネルＬＣＰ２の概略構成を示す平面図である。
【００８０】
図２９に示すように、第１表示パネルＬＣＰ１では、複数の画素ＰＩＸ１が、赤色画素ＰＩＸＲと緑色画素ＰＩＸＧと青色画素ＰＩＸＢと白色画素ＰＩＸＷとを含んでおり、赤色画素ＰＩＸＲ、緑色画素ＰＩＸＧ、青色画素ＰＩＸＢ、白色画素ＰＩＸＷが行方向にこの順に繰り返し配列されている。また列方向において、隣り合う２列の一方では、赤色画素ＰＩＸＲ及び青色画素ＰＩＸＢが交互に配列され、他方では緑色画素ＰＩＸＧ及び白色画素ＰＩＸＷが交互に配列されている。
【００８１】
実施形態６に係る液晶表示装置ＬＣＤにおいても、実施形態１と同様に、第２表示パネルＬＣＰ２の単位面積当たりの画素ＰＩＸ２の数が、第１表示パネルＬＣＰ１の単位面積当たりの画素ＰＩＸ１の数より少なくなるように構成されている。具体的には、液晶表示装置ＬＣＤは、第１表示パネルＬＣＰ１の２個（行方向及び列方向に１×２個）の画素ＰＩＸ１と第２表示パネルＬＣＰ２の１個の画素ＰＩＸ２（ＰＩＸａ）とが対応（平面視で重畳）する領域と、第１表示パネルＬＣＰ１の２個（行方向及び列方向に１×２個）の画素ＰＩＸ１と第２表示パネルＬＣＰ２の１個の画素ＰＩＸ２（ＰＩＸｂ）とが対応（平面視で重畳）する領域とを含んでいる。
【００８２】
図３１は、互いに重なり合う、第１表示パネルＬＣＰ１の画素ＰＩＸ１と、第２表示パネルＬＣＰ２の画素ＰＩＸ２との関係を示す平面図である。図３１に示す例では、第１表示パネルＬＣＰ１の１個の赤色画素ＰＩＸＲ及び１個の青色画素ＰＩＸＢと、第２表示パネルＬＣＰ２の１個の画素ＰＩＸａとが平面視で互いに重なり合い、第１表示パネルＬＣＰ１の１個の緑色画素ＰＩＸＧ及び１個の白色画素ＰＩＸＷと、第２表示パネルＬＣＰ２の１個の画素ＰＩＸｂとが平面視で互いに重なり合うように配置されている。第１表示パネルＬＣＰ１の各画素ＰＩＸ１の面積（大きさ）が互いに等しい場合、第２表示パネルＬＣＰ２の１個の画素ＰＩＸａの面積、及び、第２表示パネルＬＣＰ２の１個の画素ＰＩＸｂの面積は、画素ＰＩＸ１の面積の２倍になっている。また、各画素ＰＩＸａ、ＰＩＸｂの面積は、１個の赤色画素ＰＩＸＲの面積と１個の青色画素ＰＩＸＢの面積と１個の緑色画素ＰＩＸＧの面積と１個の白色画素ＰＩＸＷの面積とを合計した面積より小さくなっている。
【００８３】
上記構成によれば、実施形態３と同様に、青色の単色画像を表示する場合、第１表示パネルＬＣＰ１の緑色画素ＰＩＸＧ及び白色画素ＰＩＸＷをオフ状態にし、第２表示パネルＬＣＰ２の画素ＰＩＸｂをオフ状態にする。すなわち、高輝度画素の緑色画素ＰＩＸＧ及び白色画素ＰＩＸＷを含む画素グループと、該画素グループと１対１の関係で配置される画素ＰＩＸｂとのオン／オフを他の画素とは独立して制御することができる。よって、実施形態３と同様に、第２表示パネルＬＣＰ２で光漏れが生じたとしても、この漏れ光の各色成分を第１表示パネルＬＣＰ１のカラーフィルタ層ＦＩＬ及び偏光板ＰＯＬ１で遮光することができるため、色再現性を向上させることができる。
【００８４】
また実施形態６によれば、第１表示パネルＬＣＰ１と比較して、第２表示パネルＬＣＰ２のゲートドライバＩＣの数を削減することができるため、液晶表示装置ＬＣＤのコストを低減することができる。
【００８５】
［実施形態７］
図３２は実施形態７に係る第１表示パネルＬＣＰ１の概略構成を示す平面図であり、図３３は実施形態７に係る第２表示パネルＬＣＰ２の概略構成を示す平面図である。
【００８６】
図３２に示すように、第１表示パネルＬＣＰ１では、複数の画素ＰＩＸ１が、赤色画素ＰＩＸＲと青色画素ＰＩＸＢと緑色画素ＰＩＸＧと白色画素ＰＩＸＷとを含んでおり、赤色画素ＰＩＸＲ、青色画素ＰＩＸＢ、緑色画素ＰＩＸＧ、白色画素ＰＩＸＷ、白色画素ＰＩＸＷ、緑色画素ＰＩＸＧ、青色画素ＰＩＸＢ、赤色画素ＰＩＸＲが行方向にこの順に繰り返し配列されている。すなわち、複数の画素ＰＩＸ１の行方向の配列を色順で示すと、「ＲＢＧＷＷＧＢＲ」を１画素グループとすると、該画素グループが行方向に配列されている。また列方向には同一色の画素ＰＩＸ１が配列されている。また２個の緑色画素ＰＩＸＧ及び２個の白色画素ＰＩＸＷを含むグループを第１画素グループ、２個の赤色画素ＰＩＸＲ及び２個の青色画素ＰＩＸＢを含むグループを第２画素グループとすると、第１画素グループ及び第２画素グループが交互に配列されている。
【００８７】
実施形態７に係る液晶表示装置ＬＣＤにおいても、実施形態１と同様に、第２表示パネルＬＣＰ２の単位面積当たりの画素ＰＩＸ２の数が、第１表示パネルＬＣＰ１の単位面積当たりの画素ＰＩＸ１の数より少なくなるように構成されている。具体的には、液晶表示装置ＬＣＤは、第１表示パネルＬＣＰ１の４個の画素ＰＩＸ１と第２表示パネルＬＣＰ２の１個の画素ＰＩＸ２（ＰＩＸａ又はＰＩＸｂ）とが対応（平面視で重畳）するように配置されている。
【００８８】
図３４は、互いに重なり合う、第１表示パネルＬＣＰ１の画素ＰＩＸ１と、第２表示パネルＬＣＰ２の画素ＰＩＸ２との関係を示す平面図である。図３４に示す例では、第１表示パネルＬＣＰ１の行方向に隣り合う２個の赤色画素ＰＩＸＲ及び２個の青色画素ＰＩＸＢ（「ＢＲＲＢ」の４個の画素；上記第２画素グループ）と、第２表示パネルＬＣＰ２の１個の画素ＰＩＸａとが平面視で互いに重なり合い、第１表示パネルＬＣＰ１の行方向に隣り合う２個の白色画素ＰＩＸＷ及び２個の緑色画素ＰＩＸＧ（「ＧＷＷＧ」の４個の画素；上記第１画素グループ）と、第２表示パネルＬＣＰ２の１個の画素ＰＩＸｂとが平面視で互いに重なり合うように配置されている。第１表示パネルＬＣＰ１の各画素ＰＩＸ１の面積（大きさ）が互いに等しい場合、第２表示パネルＬＣＰ２の各画素ＰＩＸａ、ＰＩＸｂの面積は、第１表示パネルＬＣＰ１の１個の画素ＰＩＸ１の面積の４倍となっている。また各画素ＰＩＸａ、ＰＩＸｂの面積は互いに等しくなっている。
【００８９】
上記構成によれば、実施形態３と同様に、青色の単色画像を表示する場合、第１表示パネルＬＣＰ１の緑色画素ＰＩＸＧ及び白色画素ＰＩＸＷをオフ状態にし、第２表示パネルＬＣＰ２の画素ＰＩＸｂをオフ状態にする。すなわち、高輝度画素の緑色画素ＰＩＸＧ及び白色画素ＰＩＸＷを含む画素グループと、該画素グループと１対１の関係で配置される画素ＰＩＸｂとのオン／オフを他の画素とは独立して制御することができる。よって、実施形態３と同様に、第２表示パネルＬＣＰ２で光漏れが生じたとしても、この漏れ光の各色成分を第１表示パネルＬＣＰ１のカラーフィルタ層ＦＩＬ及び偏光板ＰＯＬ１で遮光することができるため、色再現性を向上させることができる。
【００９０】
また実施形態７によれば、第１表示パネルＬＣＰ１と比較して、第２表示パネルＬＣＰ２のソースドライバＩＣの数を削減することができるため、液晶表示装置ＬＣＤのコストをさらに低減することができる。
【００９１】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。例えば、実施形態３において、さらに、第２表示パネルＬＣＰ２（図１９参照）の１個の画素ＰＩＸ２（画素ＰＩＸａ）が、第１表示パネルＬＣＰ１の列方向に隣り合う２個の画素（２個の赤色画素ＰＩＸＲと２個の青色画素ＰＩＸＢ）に重畳し、１個の画素ＰＩＸ２（画素ＰＩＸｂ）が、第１表示パネルＬＣＰ１の列方向に隣り合う２個の画素（２個の緑色画素ＰＩＸＧと２個の白色画素ＰＩＸＷ）に重畳してもよい。その他、上記各実施形態を組み合わせて実現し得る構成としてもよい。また、独立して制御する画素が、赤色画素又は青色画素であってもよい。
【００９２】
また、上述した実施形態２、３、５〜７では、第１表示パネルＬＣＰ１に赤色画素ＰＩＸＲ、緑色画素ＰＩＸＧ、青色画素ＰＩＸＢ及び白色画素ＰＩＸＷが配置された例を示したが、同様の構造及び効果は白色画素ＰＩＸＷに代えて黄色画素ＰＩＸＹを配置した場合にも得られる。一例として、図３５に、実施形態２に示す白色画素ＰＩＸＷを黄色画素ＰＩＸＹに置き換えた例を示す。すなわち、図３５に示す例では、第１表示パネルＬＣＰ１では、複数の画素ＰＩＸ１が、赤色画素ＰＩＸＲと緑色画素ＰＩＸＧと青色画素ＰＩＸＢと黄色画素ＰＩＸＹとを含んでおり、赤色画素ＰＩＸＲ、緑色画素ＰＩＸＧ、青色画素ＰＩＸＢ、黄色画素ＰＩＸＹが行方向にこの順に繰り返し配列されており、列方向には同一色の画素ＰＩＸ１が配列されている。そして、第１表示パネルＬＣＰ１の１個の赤色画素ＰＩＸＲ、１個の緑色画素ＰＩＸＧ及び１個の青色画素ＰＩＸＢと、第２表示パネルＬＣＰ２の１個の画素ＰＩＸａとが平面視で互いに重なり合い、第１表示パネルＬＣＰ１の１個の黄色画素ＰＩＸＹと、第２表示パネルＬＣＰ２の１個の画素ＰＩＸｂとが平面視で互いに重なり合うように配置されている。
【００９３】
尚、図１５に示す例では、第１表示パネルＬＣＰ１のカラーフィルタ基板ＣＦ１には、白色画素ＰＩＸＷに対応する部分（白色部）にはカラーフィルタ層ＦＩＬは形成されておらず、オーバーコート膜ＯＣが形成されていたが、図３５に示す例では、黄色画素ＰＩＸＹに対応する黄色カラーフィルタ層ＦＩＬＹ（黄色部）を形成した後、オーバーコート膜ＯＣで被覆する構造となっている。黄色カラーフィルタ層ＦＩＬＹは、黄色（Ｙ色）の材料で形成され、黄色の光を透過する。
【符号の説明】
【００９４】
ＬＣＤ  液晶表示装置、ＬＣＰ１  第１表示パネル、ＳＤ１  第１ソースドライバ、ＧＤ１  第１ゲートドライバ、ＴＣＯＮ１  第１タイミングコントローラ、ＬＣＰ２  第２表示パネル、ＳＤ２  第２ソースドライバ、ＳＩＣ  ソースドライバＩＣ、ＧＩＣ  ゲートドライバＩＣ、ＧＤ２  第２ゲートドライバ、ＴＣＯＮ２  第２タイミングコントローラ、ＩＰＵ  画像処理部、ＳＬ  ソース線、ＧＬ  ゲート線、ＰＯＬ１〜ＰＯＬ４  偏光板、ＢＭ  ブラックマトリクス、ＦＩＬ  カラーフィルタ層、ＰＩＸ１，ＰＩＸ２，ＰＩＸａ，ＰＩＸｂ  画素、ＰＩＸＲ  赤色画素、ＰＩＸＧ  緑色画素、ＰＩＸＢ  青色画素、ＰＩＸＷ  白色画素、ＰＩＸＹ  黄色画素。
【図１】
2018049103.tif 000003
【図２】
2018049103.tif 000004
【図３】
2018049103.tif 000005
【図４】
2018049103.tif 000006
【図５】
2018049103.tif 000007
【図６】
2018049103.tif 000008
【図７】
2018049103.tif 000009
【図８】
2018049103.tif 000010
【図９】
2018049103.tif 000011
【図１０】
2018049103.tif 000012
【図１１】
2018049103.tif 000013
【図１２】
2018049103.tif 000014
【図１３】
2018049103.tif 000015
【図１４】
2018049103.tif 000016
【図１５】
2018049103.tif 000017
【図１６】
2018049103.tif 000018
【図１７】
2018049103.tif 000019
【図１８】
2018049103.tif 000020
【図１９】
2018049103.tif 000021
【図２０】
2018049103.tif 000022
【図２１】
2018049103.tif 000023
【図２２】
2018049103.tif 000024
【図２３】
2018049103.tif 000025
【図２４】
2018049103.tif 000026
【図２５】
2018049103.tif 000027
【図２６】
2018049103.tif 000028
【図２７】
2018049103.tif 000029
【図２８】
2018049103.tif 000030
【図２９】
2018049103.tif 000031
【図３０】
2018049103.tif 000032
【図３１】
2018049103.tif 000033
【図３２】
2018049103.tif 000034
【図３３】
2018049103.tif 000035
【図３４】
2018049103.tif 000036
【図３５】
2018049103.tif 000037